(57)【要約】【課題】パンツ本体の前面内側に当て布を設けて男性性器を隔離収納する男性用パンツの提供を図る。【解決手段】該パンツ本体の前面内側に当て布を設けて男性性器を隔離収納する男性用パンツであって、該当て布は、パンツ本体の前身頃の形状に倣った略矩形状を形成し、中央部には男性性器を出し入れするスリット部を設けて成り、当て布をパンツ本体の前面内側に縫着することにより、上方が開口する収納部が設けられる手段と、当て布が、布体またはメッシュ体のいずれかまたは、組み合わされて縫着される手段と、当て布が、布体、メッシュ体又は吸収パット体のいずれかで形成し、パンツ本体と当て布に係止体を其々備えて着脱自在とした手段と、パンツ本体が、トランクス又はブリーフである手段と、パンツ本体と当て布で形成される収納部の上方に横方向の縫込みを入れて収納ポケットを形成した手段を採る。【選択図】図1
0003164814.tif 000002
【実用新案登録請求の範囲】
【請求項１】
パンツ本体の前面内側に当て布を設けて男性性器を隔離収納する男性用のパンツであって、
前記当て布は、前記パンツ本体の前身頃の形状に倣った略矩形状を形成し、
中央部には男性性器を出し入れするスリット部を設けて成り、
前記当て布を前記パンツ本体の前面内側に縫着することにより、上方が開口する収納部が設けられることを特徴とする男性性器を隔離収納する男性用パンツ。
【請求項２】
前記当て布が、布体またはメッシュ体のいずれかまたは、組み合わされて縫着されることを特徴とする請求項１記載の男性性器を隔離収納する男性用パンツ。
【請求項３】
前記当て布が、布体、メッシュ体又は吸収パット体のいずれかで形成し、前記パンツ本体と前記当て布に係止体を其々備えて着脱自在としたことを特徴とする請求項１記載の男性性器を隔離収納する男性用パンツ。
【請求項４】
前記パンツ本体が、トランクス又はブリーフであることを特徴とする請求項１から請求項３のいずれか記載の男性性器を隔離収納する男性用パンツ。
【請求項５】
前記パンツ本体と前記当て布で形成される収納部の上方に横方向の縫込みを入れて収納ポケットを形成したことを特徴とする請求項１または請求項２または請求項４のいずれか記載の男性性器を隔離収納する男性用パンツ。
【考案の詳細な説明】
【技術分野】
【０００１】
本考案は、男性性器を隔離収納する男性用パンツに関し、詳しくは、パンツ本体の前面内側に当て布を設けて空間部を設け、通気性を向上させるとともに、男性性器を隔離して安定的に収納し、開脚時等に男性性器が露出することを防止する男性用パンツに関する。
【背景技術】
【０００２】
従来のトランクス型の男性用パンツは、脚部開口部が幅広に形成されて通気性が良く、開放的に着用することができるものであるが、開放的であるがゆえに、男性性器がパンツ内で固定されないため収まりが悪く、また座った際にパンツの脚部開口部から男性性器が露出して周囲の人に不快感を与えることがあった。また、ブリーフ型の男性用パンツは、男性性器を安定的に収納するが、解放感や通気性という面においてはブリーフ型に劣る。
【０００３】
そこで、それらの問題点を解決しようと、パンツの前面に当て布を設けた男性用パンツが提案されている。例えば、男性下着の前面に略矩形の合せ布を配設してその上端と下端をパンツ本体に縫い合わせた「男性用下着」（特許文献１参照）や、パンツの内側に左右の当て布を設けて男性性器の前面と左右両内股が隔てられ、該左右の当て布間で男性性器が開放される「快適パンツ」（特許文献２参照）や、パンツ本体の前面に陰嚢収納ポケットを設けた「生殖器部を保護するための男性用パンツ」（特許文献３参照）などが開示されている。
【０００４】
しかしながら、「男性用下着」（特許文献１参照）においては、男性下着の前面に略矩形の合せ布を配設してその上端と下端をパンツ本体に縫い合わせた構造の男性用パンツであるため、急に用を足したくなった場合や、男性性器の勃起時においては、男性性器を合せ布の側面から取り出し辛い点や、男性下着と合せ布が縫い合わされて袋状になっているため、洗濯時の洗濯クズや脱毛した陰毛が、その袋状の中に溜まってしまう問題があるもので、さらに座った際にパンツの脚部開口部から男性性器が露出する問題に関しては、パンツ本体の脚部開口部の伸縮による締め付け構造で解決するものである。
【０００５】
また、「快適パンツ」（特許文献２参照）においては、パンツの内側に左右の当て布を設けて男性性器の全面と左右両内股が隔てられ、男性性器が該左右の当て布間で開放される構造の男性用パンツであるため、当て布と股間が歩行の際、直接触れ合うため、違和感や擦れ感などの不快な着用感が生じるもので、また。パンツ本体に男性性器を出し入れする開口部が設けられていないため、小便時はパンツを脱がなければならない煩雑さを強いられるものであるといえる。
【０００６】
また、「生殖器部を保護するための男性用パンツ」（特許文献３参照）においては、パンツ本体の前面に複雑形状の陰嚢（収納）ポケットを設けた男性用パンツであるため、外観的にパンツ本体の前面に複雑形状の陰嚢（収納）ポケットが露骨に露出していることから、スポーツ用のインナーパンツとして使用することには抵抗はないが、普段着の男性下着としては着用する上で抵抗感があるもので、またズボンを履いた状態で陰嚢（収納）ポケットの外側布を開閉するには、ズボンを脱ぐか、ズボンの前部開口部から外側布を取り出し、さらに男性性器自体を引き出さなければならない煩雑さを強いられるものであり、コスト高となる複雑形状の陰嚢（収納）ポケット構造であることも含めて、実用性が薄いものといえる。
【０００７】
以上のように上記の男性用パンツ関するいずれの提案も、男性用パンツに当て布を配設することによって、男性性器が不用意に露出するのを防止したり、男性性器を取り出しやすくしたり、男性性器の収まり具合を安定させようとするものであるが、その問題点を克服するにあまり、利便性、着用感、清潔感、コスト高に関しては問題点を残すものである。
【０００８】
本考案者は、以上のような男性用パンツが持つ問題点を鑑み、男性性器がパンツ本体の脚部開口部から不用意に露出するのを防止し、男性性器を取り出しやすくしたり、男性性器の収まり具合を安定させることはもとより、当て布を着脱自在とすることで、洗濯を容易にし、さらに失禁対策、保温対策、薬品かぶれ対策に効果が得られる構造を付加して、本考案における男性性器を隔離収納する男性用パンツの提案に至るものである。
【先行技術文献】
【特許文献】
【０００９】
【特許文献１】特開２００３-３３６１０１号公報
【特許文献２】特許第３９４２８６７号公報
【特許文献３】実用新案登録第３１４３５５５号公報
【考案の概要】
【考案が解決しようとする課題】
【００１０】
本考案は、上パンツ本体の前面内側に当て布を設けて男性性器を隔離収納する男性用パンツの提供を図る。
【課題を解決するための手段】
【００１１】
本考案は上記目的を達成するために、パンツ本体の前面内側に当て布を設けて男性性器を隔離収納する男性用パンツであって、当て布は、パンツ本体の前身頃の形状に倣った略矩形状を形成し、中央部には男性性器を出し入れするスリット部を設けて成り、当て布をパンツ本体の前面内側に縫着することにより、上方が開口する収納部が設けられる手段を採る。
【００１２】
また本考案は、当て布が、布体またはメッシュ体のいずれかまたは、組み合わされて縫着される手段を採る。
【００１３】
また本考案は、当て布が、布体、メッシュ体又は吸収パット体のいずれかで形成し、パンツ本体と当て布に係止体を其々備えて着脱自在とした手段を採る。
【００１４】
また本考案は、パンツ本体が、トランクス又はブリーフである手段を採る。
【００１５】
また本考案は、パンツ本体と当て布で形成される収納部の上方に横方向の縫込みを入れて収納ポケットを形成した手段を採る。
【考案の効果】
【００１６】
本考案の男性性器を隔離収納する男性用パンツによれば、当て布を男性用パンツの前身頃の形状に倣った略矩形状にしてパンツ本体の前面内側に設けることによって、座った際にパンツ本体の脚部開口部から男性性器が露出することなく、また当て布をメッシュ体とすることで通気性が確保できる優れた効果を奏する。
【００１７】
また、本考案の男性性器を隔離収納する男性用パンツによれば、当て布の中央にスリット部を設けることにとって男性性器自体が取り出しやすい優れた効果を奏する。
【００１８】
また、本考案の男性性器を隔離収納する男性用パンツによれば、パンツ本体の前面内側に当て布を縫合して上方が開口する収納部を設けることによって、男性性器自体が安定して収納部に収まると共に、陰嚢部が当て布によって股部と分離されて直接触れないため、肌同士が接触してべとつかない上、発汗による汗疹や陰金田虫などの治療薬塗布剤の薬効を促進する優れた効果を奏する。
【００１９】
また、本考案の男性性器を隔離収納する男性用パンツによれば、パンツ本体と当て布に係止体を其々備えて着脱自在とすることで、洗濯時の洗濯クズや脱毛した陰毛が収納部に溜まってしまう問題を解決することができると共に、当て布を失禁用の吸収パット体とすることで肌に尿分が触れない簡易的な失禁用パンツとすることができる優れた効果を奏する。
【００２０】
また、本考案の男性性器を隔離収納する男性用パンツによれば、当て布の上端とスリットの中間位置に横方向の縫込みを入れて収納ポケットを形成することによって、該収納ポケットに使い捨てのカイロを入れてヒートパンツとすることや、腹部を温める腹巻付きカイロパンツの役目を果たす優れた効果を奏する。
【図面の簡単な説明】
【００２１】
【図１】本考案の男性性器を隔離収納するトランクス型の男性用パンツの実施形態を示す説明図である。（実施例１）
【図２】本考案の男性性器を隔離収納するブリーフ型の男性用パンツの実施形態を示す説明図である。（実施例２）
【図３】本考案の男性性器を隔離収納する男性用パンツの使用状態を示す断面説明図である。（実施例３）
【図４】本考案の男性性器を隔離収納する男性用パンツの別の実施形態を示す説明図である。（実施例４）
【図５】本考案の男性性器を隔離収納する男性用パンツの別の実施形態を示す説明図である。（実施例５）
【考案を実施するための形態】
【００２２】
本考案の男性性器を隔離収納する男性用パンツは、パンツ本体の前面内側に当て布を設けて男性性器を隔離収納する男性用パンツであって、当て布は、パンツ本体の前身頃の形状に倣った略矩形状を形成し、中央部には男性性器を出し入れするスリット部を設けて成り、当て布を前記パンツ本体の前面内側に縫着することにより、上方が開口する収納部が設けられる手段と、当て布が、布体またはメッシュ体のいずれかまたは、組み合わされて縫着される手段と、当て布が、布体、メッシュ体又は吸収パット体のいずれかで形成し、パンツ本体と当て布に係止体を其々備えて着脱自在とした手段と、パンツ本体が、トランクス又はブリーフである手段と、パンツ本体と当て布で形成される収納部の上方に横方向の縫込みを入れて収納ポケットを形成した手段を採ったことを最大の特徴とするもので、以下、実施例を図面に基いて説明する。
【００２３】
尚、本実施例で示す寸法ならびに形状は、下記に述べる実施例に特に限定されるものでなく、本考案の技術的思想の主旨に逸脱しない範囲で任意に変更することができる。
【実施例１】
【００２４】
図１は、本考案の男性性器を隔離収納するトランクス型の男性用パンツの実施形態を示す説明図である。
本考案における男性性器を隔離収納する男性用パンツ１は、パンツ本体１０の前面内側にパンツ本体の前身頃の形状に倣った略矩形状を形成した当て布２０を設けて男性性器Ｊを隔離収納するトランクス型の男性用パンツであって、当て布２０は、中央部に男性性器Ｊを出し入れするスリット部２１を設けてトランクス型のパンツ本体１０の前身頃１３の形状に倣った略矩形状を形成して成り、パンツ本体１０の前面内側に当て布２０を縫合して上方が開口する収納部１６を設けて成り、また当て布２０が、布体３０又はメッシュ体４０のいずれか又は組み合わされて形成される。
【００２５】
パンツ本体１０は、前部は男性性器Ｊを出し入れする前部開口部１５が設けられ、下方部は脚を出し入れする脚部開口部１４が幅広に形成され、通気性が良く、開放的に着用することができるトランクス型を形成している。
【００２６】
当て布２０は、中央部に男性性器Ｊを出し入れするスリット部２１を設けてトランクス型のパンツ本体１０の前身頃１３の形状に倣った略矩形状を形成し、パンツ本体１０の前面内側に縫合されて上方が開口する収納部１６を設けて形成される。
【００２７】
また、当て布２０は、通常の布体３０の他に、通気性の良いメッシュ体４０や、頻尿を吸収する吸収パット体５０で形成することもできる。
【００２８】
収納部１６は、パンツ本体１０の前面内側に当て布２０を縫合して上方が開口して袋状に形成されるもので、男性性器Ｊ全体をすっぽり覆って隔離収納する役割を果たすものである。
【００２９】
以上のように、本考案の男性性器を隔離収納する男性用パンツ１は、男性性器Ｊがパンツ本体１０の脚部開口部１４から不用意に露出するのを防止したり、男性性器Ｊを取り出しやすくしたり、男性性器Ｊの収まり具合を安定させることができるトランクス型の男性用パンツである。
【実施例２】
【００３０】
図２は、本考案の男性性器を隔離収納するブリーフ型の男性用パンツの実施形態を示す説明図である。本考案における男性性器を隔離収納する男性用パンツ１は、パンツ本体１０の前面内側にパンツ本体の前身頃の形状に倣った略矩形状を形成した当て布２０を設けて男性性器Ｊを隔離収納するブリーフ型の男性用パンツであって、当て布２０は、中央部に男性性器Ｊを出し入れするスリット部２１を設けてブリーフ型のパンツ本体１０の前身頃１３の形状に倣った略矩形状を形成して成り、パンツ本体１０の前面内側に当て布２０を縫合して上方が開口する収納部１６を設けて成り、また当て布２０が、布体３０又はメッシュ体４０のいずれか又は組み合わされて形成されている。
【００３１】
本考案の男性性器を隔離収納する男性用パンツ１は、男性性器Ｊがパンツ本体１０の脚部開口部１４から不用意に露出するのを防止したり、男性性器Ｊを取り出しやすくしたり、男性性器Ｊの収まり具合を安定させることができるブリーフ型の男性用パンツである。
【実施例３】
【００３２】
図３は、本考案の男性性器を隔離収納する男性用パンツの使用状態を示す断面説明図である。図ａは、パンツ本体１０を着用した通常の状態を示す。男性性器Ｊの陰嚢部Ｎと陰茎部Ｋは、当て布２０のスリット部２１によって、股間部Ｃと完全に隔離され、パンツ本体１０の脚部開口部１４から不用意に露出することがない状態で収納部１６内に安定して納められる。
【００３３】
図ｂは、パンツ本体１０を着用した状態で男性性器Ｊを取り出す状態を示す。
男性性器Ｊの陰嚢部Ｎと陰茎部Ｋは、当て布２０のスリット部２１によって、股間部Ｃと完全に隔離されている状態で、パンツ本体１０の前部開口部１５から男性性器Ｊを容易に出し入れすることができる。
【実施例４】
【００３４】
図４は、本考案の男性性器を隔離収納する男性用パンツの別の実施形態を示す説明図である。本考案における男性性器を隔離収納するパンツ１は、当て布２０が、布体３０、メッシュ体４０又は吸収パット体５０のいずれかで形成し、パンツ本体１０と当て布２０に面ファスナー、フォック、ボタン、チャック等からなる係止体１７を其々備えて着脱自在として取り付けられる。
【００３５】
当て布２０を着脱自在の厚手の布体３０とすることで、腹冷え防止構造とすることができ、また当て布２０を着脱自在のメッシュ体４０とすることで通気性の良い蒸れ防止構造とすることができ、さらに当て布２０を着脱自在の吸収パット体５０とすることで、軽い失禁対策構造とすることができる。
【実施例５】
【００３６】
図５は、本考案の男性性器を隔離収納する男性用パンツの別の実施形態を示す説明図である。本考案における男性性器を隔離収納する男性用パンツ１は、パンツ本体１０と当て布２０で形成される収納部１６の上方に横方向の縫込み１９を入れて収納ポケット１８を形成することができる。
【００３７】
収納ポケット１８に使い捨てカイロＴなどを収納することにより、腹冷え対策、保温対策構造とすることができる。また、浴衣着用時の財布などの小物入れとしても利用できる。
【産業上の利用可能性】
【００３８】
本考案の男性性器を隔離収納する男性用パンツは、男性性器がパンツ本体の脚部開口部から不用意に露出するのを防止したり、男性性器を取り出しやすくしたり、男性性器の収まり具合を安定させることはもとより、当て布を着脱自在とすることで、洗濯を容易にし、さらに失禁対策、保温対策、薬品かぶれ対策に効果が得られる構造を付加した従来にない男性用パンツであることから、本考案における男性性器を隔離収納する男性用パンツの産業上の利用可能性は極めて高いものと解する。
【符号の説明】
【００３９】
１  男性用パンツ
１０  パンツ本体
１１  トランクス
１２  ブリーフ
１３  前身頃
１４  脚部開口部
１５  前部開口部
１６  収納部
１７  係止体
１８  収納ポケット
１９  縫込み
２０  当て布  
２１  スリット部
３０  布体
４０  メッシュ体
５０  吸収パット体  
Ｃ  股間部
Ｊ  男性性器
Ｎ  陰嚢部
Ｋ  陰茎部
Ｔ  使い捨てカイロ
【図１】
0003164814.tif 000003
【図２】
0003164814.tif 000004
【図３】
0003164814.tif 000005
【図４】
0003164814.tif 000006
【図５】
0003164814.tif 000007